(57)【特許請求の範囲】
【請求項１】
封止フィルムで封止した飲み口を天蓋にもつ円筒状の液体用紙容器に冠着するプラスチック製のキャップであって、凹状の天板の前後方向のほぼ中央位置に、左右方向の支柱板を立設し、該支柱板の前方近傍に底辺が支柱板に平行で頂角が丸い三角形状の前方切欠きを天板に設け、前記支柱板の後方に前記前方切欠きの底辺より幅が同じより大きい底辺をもつ四角形状の後方切欠きを設け、前記三角形状の前方切欠き内に、底辺以外の周縁部の上面に当接壁を立設し下面に開封刃を垂設する頂角が丸い三角形状の開封板を、底辺以外の周囲に間隙をもたせて底辺を天板に接続し、前記後方切欠きより幅及び長さが同じより小さく幅が前記開封板の底辺より同じより大きい開封操作板を、前記支柱板の先端後方に接続して前記四角形状の後方切欠き上方に設け、前記開封板に立設された当接壁は、前記開封操作板を上方に引き上げることにより支柱板の上方前方面が当接壁の後方上端に当接するように設けられ、前記開封板と前記開封操作板の左右の天板の位置に突起壁を形成し、該左右の突起壁間の前方周縁部に環状飲み口壁を設けて、前方に飲み口部を後方に指挿入口部を設けたことを特徴とする開栓用飲み口キャップ。
【請求項２】
封止フィルムで封止した飲み口を天蓋にもつ円筒状の液体用紙容器に冠着するプラスチック製のキャップであって、凹状の天板の前後方向のほぼ中央位置に、側面下端に係止部をもつ左右方向の支柱板を立設し、該支柱板の前方近傍に底辺を支柱板と平行で頂角が丸い三角形状の前方切欠きを天板に設け、前記三角形状の前方切欠き内に、底辺以外の周縁部の下面に開封刃を垂設する頂角が丸い三角形状の開封板を、底辺以外の周囲に間隙をもたせて底辺を天板に接続し、前記開封板と前記支柱板の左右の天板の位置に突起壁を形成し、該左右の突起壁間の前方の周縁部に環状飲み口壁を設けて、前方に飲み口部を後方に指挿入口部を設け、且つ、前方端が左右方向に平行な開封操作板の先端縁部の下面に、側面下端内側に前記支柱板との係止部をもつ水平断面がコ字状の係着部を有し、該係着部の前方に押し板を延設する別体の開封部材を、前記押し板の下面を前記開封板の上面に当接するように、前記係着部を前記支柱板に嵌着したことを特徴とする開栓用飲み口キャップ。
【発明の詳細な説明】
【０００１】
【発明の属する技術分野】
本発明は、封止フィルムで封止した飲み口をもつ円筒状の液体用紙容器に関するものであり、詳しくは、液体用紙容器に冠着して開封性と飲み易いさを改善する開栓用飲み口キャップに関するものである。
【０００２】
【従来の技術】
従来、果汁飲料、コーヒー、乳酸飲料、液体スープや酒類などの液体食品の分野では、使用時の使い易さから天蓋の飲み口を開封用つまみをもつ封止フィルムで封止した紙を主体とする積層材料からなる円筒状の液体用紙容器が使用されていた。
【０００３】
【発明が解決しようとする課題】
しかしながら、上述の従来の液体用紙容器は、使用時に飲み口を封止する封止フィルムが天蓋から剥離しにくいことがあり、蓋材が層間剥離して外観を損ねたり、容器の材質や形状から容器に口を当てて内容物を飲むときに、口当りが悪いことがあった。
【０００４】
本発明は、上述の従来の液体用紙容器の問題を解決したものであり、使用時に開封性や口当りが良く、店頭時に展示効果や商品価値を高める液体用紙容器の開栓用飲み口キャップを提供するものである。
【０００５】
【課題を解決するための手段】
すなわち、本発明の第１の発明は、封止フィルムで封止した飲み口を天蓋にもつ円筒状の液体用紙容器に冠着するプラスチック製のキャップであって、凹状の天板の前後方向のほぼ中央位置に、左右方向の支柱板を立設し、該支柱板の前方近傍に底辺が支柱板に平行で頂角が丸い三角形状の前方切欠きを天板に設け、前記支柱板の後方に前記前方切欠きの底辺より幅が同じより大きい底辺をもつ四角形状の後方切欠きを設け、前記三角形状の前方切欠き内に、底辺以外の周縁部の上面に当接壁を立設し下面に開封刃を垂設する頂角が丸い三角形状の開封板を、底辺以外の周囲に間隙をもたせて底辺を天板に接続し、前記後方切欠きより幅及び長さが同じより小さく幅が前記開封板の底辺より同じより大きい開封操作板を、前記支柱板の先端後方に接続して前記四角形状の後方切欠き上方に設け、前記開封板に立設された当接壁は、前記開封操作板を上方に引き上げることにより支柱板の上方前方面が当接壁の後方上端に当接するように設けられ、前記開封板と前記開封操作板の左右の天板の位置に突起壁を形成し、該左右の突起壁間の前方周縁部に環状飲み口壁を設けて、前方に飲み口部を後方に指挿入口部を設けたことを特徴とする開栓用飲み口キャップである。
【０００６】
また、本発明の第２の発明は、封止フィルムで封止した飲み口を天蓋にもつ円筒状の液体用紙容器に冠着するプラスチック製のキャップであって、凹状の天板の前後方向のほぼ中央位置に、側面下端に係止部をもつ左右方向の支柱板を立設し、この支柱板の前方近傍に底辺を支柱板と平行で頂角が丸い三角形状の前方切欠きを天板に設け、前記三角形状の前方切欠き内に、底辺以外の周縁部の下面に開封刃を垂設する頂角が丸い三角形状の開封板を、底辺以外の周囲に間隙をもたせて底辺を天板に接続し、前記開封板と前記支柱板の左右の天板の位置に突起壁を形成し、この左右の突起壁間の前方の周縁部に環状飲み口壁を設けて、前方に飲み口部を後方に指挿入口部を設け、且つ、前方端が左右方向に平行な開封操作板の先端縁部の下面に、側面下端内側に前記支柱板との係止部をもつ水平断面がコ字状の係着部を有し、この係着部の前方に押し板を延設する別体の開封部材を、前記押し板の下面を前記開封板の上面に当接するように、前記係着部を前記支柱板に嵌着したことを特徴とする開栓用飲み口キャップである。
【０００７】
【作用】
第１の発明の開栓用飲み口キャップは、開封板が液体用紙容器の封止フィルムで封止する飲み口の真上に来るようにして液体用紙容器に冠着すると、後方の指挿入口部から指を開封操作板下に入れて、開封操作板を指で引き上げると、支柱板の上方前方面が開封板の当接壁の後方上端に当接し、開封板が底辺を支軸に前方を下方へ傾斜して、開封板の下面の開封刃が液体用紙容器の飲み口を封止する封止フィルムに当たり封止フィルムを切断して飲み口部が開口する。なお、開封板は、開封操作板から指を外しても飲み口部にそのままの状態で係止する。このため、開封がワンタッチで確実に行える。また、前方に飲み易い形状の飲み口部をもち材質を口当りの良いプラスチックにすることができ、口当りが良好である。
【０００８】
また、第２の発明の開栓用飲み口キャップは、開封板が液体用紙容器の封止フィルムで封止する飲み口の真上に来るようにして液体用紙容器に冠着すると、後方の指挿入口部から指を開封部材の開封操作板下に入れて、開封操作板を指で引き上げると、開封部材が、嵌着する支柱板を支軸に押し板が前方を下方へ傾斜し、当接する開封板が底辺を支軸に前方を下方へ傾斜して、開封板の下面の開封刃が液体用紙容器の飲み口を封止する封止フィルムに当たり封止フィルムを切断して飲み口部が開口する。なお、開封板は、開封操作板から指を外しても飲み口部にそのままの状態で係止し、開封部材は、支柱板の復元力により元の状態に戻る。このため、開封がワンタッチで確実に行える。また、前方に飲み易い形状の飲み口部をもち材質を口当りの良いプラスチックにすることができ、口当りが良好である。
【０００９】
また、本発明の開栓用飲み口キャップは、プラスチック製であるため、容器の用途に適合した材質を選択でき、着色、デザインの自由度も大きく、また、スタッキング性を持たせることもでき、店頭時に商品の展示効果や商品価値を高めることができる。
【００１０】
【発明の実施の形態】
本発明の開栓用飲み口キャップは、紙を主体とする積層材料からなり封止フィルムで封止した飲み口を天蓋にもつ円筒状の液体用紙容器に冠着するプラスチック製のキャップである。本キャップは、容器の使用目的に合わせてポリプロピレン、ポリエチレンなどの熱可塑性樹脂を選択して用い、射出成形法で製造するものである。なお、封止フィルムは、単層又は多層フィルムであり、液体用紙容器の天蓋の飲み口周縁部上面にヒートシール法で熱融着して飲み口を封止するものである。
【００１１】
本発明の一実施形態の開栓用飲み口キャップ（１００）の構造は、例えば図１（ａ）、（ｂ）及び（ｃ）に示すように、凹状の天板（１１０）の前後方向のほぼ中央位置に、左右方向の支柱板（１４０）を立設し、この支柱板の前方近傍に底辺が支柱板に平行で頂角が丸い三角形状の前方切欠き（１１２）を天板に設け、前記支柱板の後方に前記前方切欠きの底辺より幅が同じより大きい底辺をもつ四角形状の後方切欠き（１１１）を設け、前記三角形状の前方切欠き内に、底辺以外の周縁部の上面に当接壁（１６１）を立設し下面に開封刃（１６２）を垂設する頂角が丸い三角形状の開封板（１６０）を、底辺以外の周囲に間隙（１１２ａ）をもたせて底辺を天板に接続し、前記後方切欠きより幅及び長さが同じより小さく幅が前記開封板の底辺より同じより大きい開封操作板（１５０）を、前記支柱板の先端後方に接続して前記四角形状の後方切欠き（１１１）上方に設け、前記開封板と前記開封操作板の左右の天板の位置に突起壁（１１３ａ，１１３ｂ）を形成し、この左右の突起壁間の前方周縁部に環状飲み口壁（１３０）を設けて、前方に飲み口部（１０１）を後方に指挿入口部（１０２）を設けるものである。
【００１２】
なお、開封操作板（１５０）の下方の天板（１１０）に幅及び長さが同じより大きい後方切欠き（１１１）を設けるのは、金型構造を簡単にし、製品を１ピースにして製造費用を削減するためのものである。また、開封操作板（１５０）の幅を、底辺以外の周縁部の上面に当接壁（１６１）を立設する頂角が丸い三角形状の開封板（１６０）の底辺より同じより大きくしたのは、指挿入口部より指を開封操作板の下に入れて開封操作板を持ち上げたときに、開封操作板と同じ幅の支柱板の上方前方面が開封板の当接壁の後方上端に当接するためである。また、頂角が丸い三角形状の開封板（１６０）の底辺以外の周囲に間隙をもたせるのは、開封板を下方へ傾斜させるためである。そして、左右に設ける突起壁（１１３ａ，１１３ｂ）は、容器を開封して前方へ傾斜して内容物を飲み口（１０１）から飲むときに、内容物の流路を形成するものである。
【００１３】
次に、本発明の他の一実施形態の開栓用飲み口キャップ（１００）の構造は、例えば図２（ａ）、（ｂ）及び（ｃ）に示すように、凹状の天板（１１０）の前後方向のほぼ中央位置に、側面下端に係止部（１４１）をもつ左右方向の支柱板（１４０）を立設し、この支柱板の前方近傍に底辺を支柱板と平行で頂角が丸い三角形状の前方切欠き（１１２）を天板に設け、前記三角形状の前方切欠き内に、底辺以外の周縁部の下面に開封刃（１６２）を垂設する頂角が丸い三角形状の開封板（１６０）を、底辺以外の周囲に間隙（１１２ａ）をもたせて底辺を天板に接続し、前記開封板と前記支柱板の左右の天板の位置に突起壁（１１３ａ，１１３ｂ）を形成し、この左右の突起壁間の前方の周縁部に環状飲み口壁（１３０）を設けて、前方に飲み口部（１０１）を後方に指挿入口部（１０２）を設け、且つ、前方端が左右方向に平行な開封操作板（２２０）の先端縁部の下面に、側面下端内側に前記支柱板との係止部（２１１）をもつ水平断面がコ字状の係着部（２１０）を有し、この係着部の前方に押し板（２３０）を延設する別体の開封部材（２００）を、前記押し板の下面を前記開封板の上面に当接するように、前記係着部を前記支柱板に嵌着するものである。本実施形態のキャップは、２ピースである。
【００１４】
なお、開封部材（２００）の係着部（２１０）は、支柱板にしっかりと嵌着するように作製するものであり、頂角が丸い三角形状の開封板（１６０）の底辺以外の周囲に間隙をもたせるのは、開封板を下方へ傾斜させるためである。そして、左右に設ける突起壁（１１３ａ，１１３ｂ）は、容器を開封して前方へ傾斜して内容物を飲み口（１０１）から飲むときに、内容物の流路を形成するものである。
【００１５】
【発明の効果】
本発明の開栓用飲み口キャップは、開封板が液体用紙容器の封止フィルムで封止する飲み口の真上に来るようにして液体用紙容器に冠着すると、後方の指挿入口部から指を開封操作板下に入れて、開封操作板を指で引き上げると、開封板の前方を下方へ傾斜して、開封板の下面の開封刃が液体用紙容器の飲み口を封止する封止フィルムを切断して飲み口部が開口する。なお、開封板は、開封操作板から指を外しても飲み口部にそのままの状態で係止する。開封がワンタッチで確実に行え、また、飲み口部は、飲み易い形状であり、材質が口当りの良いプラスチックであるので、口当りが良好である。
【００１６】
また、本発明の開栓用飲み口キャップは、プラスチック製であり、容器の用途に適合した材質を選択でき、着色、デザインの自由度が大きく、また、スタッキング性を持たせることもでき、店頭時に商品の展示効果や商品価値を高めることができる。
【図面の簡単な説明】
【図１】（ａ）は、本発明の一実施形態の開栓用飲み口キャップの平面図であり、（ｂ）は、そのＡ−Ａ’線断面図であり、（ｃ）は、Ｂ−Ｂ’線断面図である。
【図２】（ａ）は、本発明の他の一実施形態の開栓用飲み口キャップの平面図であり、（ｂ）は、そのＣ−Ｃ’線断面図であり、（ｃ）は、Ｄ−Ｄ’線断面図である。
【符号の説明】
１０……液体用紙容器
１１……飲み口部
１００……開封用飲み口キャップ
１０１……飲み口部
１０２……指挿入口部
１１０……天板
１１１，１１２……切欠き
１１２ａ……間隙
１１３ａ，１１３ｂ……突起壁
１２０……周壁
１３０……環状飲み口壁
１４０……支柱板
１４１，２１１……係止部
１５０，２２０……開封操作板
１６０……開封板
１６１……当接壁
１６２……開封刃
２００……開封部材
２１０……係着部
２３０……押し板
【図１】
0003817976.tif 000002
【図２】
0003817976.tif 000003